(57)【要約】【課題】      安全、確実に高層建築物等から脱出することが出来る経済性にもすぐれた高所からの緊急避難用具の提供。【解決手段】  先端に掛け具を取り付けた、必要な長さのワイヤーを巻き付けたドラムの一側面にブレーキドラムを固着し、他側面にはワイヤー巻き戻しドラムを固着するとともに、ワイヤーを巻き付けたドラムの中心部に、ワイヤー引き出し速度を一定にする定速機を組み込み、これらが一体の状態で回転可能となるようにフレームに支持するとともに、このフレームには、前記ブレーキドラムに接触して制動作用を行なうブレーキレバーと、延び出したワイヤーを元のドラムに巻き取るための巻き戻し用レバー付巻き戻しギヤが取り付けられ、この状態のフレーム全体を、ワイヤー出入口、巻き戻しレバー、ブレーキ把手およびワイヤーを巻き付けたドラムの回転軸端部に対応する位置に開口部を設けた全体カバーに収納したものと、身体取り付け用固着バンドとが一体的に組み込まれている。【選択図】図２
0003136343.tif 000002
【実用新案登録請求の範囲】
【請求項１】
先端に掛け具を取り付けた、必要な長さのワイヤーを巻き付けたドラムの一側面にブレーキドラムを固着し、他側面にはワイヤー巻き戻しドラムを固着するとともに、ワイヤーを巻き付けたドラムの中心部に、ワイヤー引き出し速度を一定にする定速機を組み込み、これらが一体の状態で回転可能となるようにフレームに支持するとともに、このフレームには、前記ブレーキドラムに接触して制動作用を行なうブレーキレバーと、延び出したワイヤーを元のドラムに巻き取るための巻き戻し用レバー付巻き戻しギヤが取り付けられ、この状態のフレーム全体を、ワイヤー出入口、巻き戻しレバー、ブレーキ把手およびワイヤーを巻き付けたドラムの回転軸端部に対応する位置に開口部を設けた全体カバーに収納したものと、身体取り付け用固着バンドとが一体的に組み込まれている事を特徴とする高所からの緊急避難用具。
【考案の詳細な説明】
【技術分野】
【０００１】  本考案は、火災、地震などの災害時に、高層建築物等の高所からの避難、救出や、ロープウェー、遊園地の観覧車の故障などで高い場所からの脱出を、簡単にしかも安全に実施する事が出来る、高所からの緊急避難用具に関するものである。
【背景技術】
【０００２】  多くの高層建築物で、火災など災害が発生した場合、緊急避難には、脱出用のシュートが設けられてはいるものの、せいぜい数階の高さが限度であり、ハシゴ消防車でも最近のような超高層建築では一定以上の高さには間に合わない場合が多くなっている。【０００３】  このような事態に備えて、ドラムに巻き付けた長いワイヤーの先端を建物に固着し、ドラムからワイヤーを巻き解きながら、ドラムと一緒に降下する避難器具もすでに提案されている。
【特許文献１】  特開平７−３０８３９４号公報
【０００４】  しかしながら、前記特許文献１に提案の避難器具は、直流発電動機、蓄電池電源、電気的制御装置などの使用する部品が高価なものであり、避難器具として作成した場合コスト高となって汎用性に乏しいという問題点があった。
これに対し、本考案は、停電時であっても動力源を必要とせず、自重変速機を使用しているので長年保管していても故障をすることがなく、身体取り付け用固着バンドに組み込まれているので、一度説明を聞けばその使用法を忘れることがないという、有用性を備えており、産業上大いに役立つものである。
【考案の開示】
【考案が解決しようとする課題】
【０００５】  本考案は、前記の問題点を解消し、安全、確実に高層建築物等から脱出することが出来て、経済性にもすぐれた高所からの緊急避難用具を提供することを目的としている。【０００６】  前記目的を達成するため、本考案者は鋭意研究を重ねた結果、高所からの緊急避難用具使用時におけるワイヤーを巻き付けたドラムからのワイヤー引き出し速度をほぼ一定にすることが、使用上の安全性に効果のあることを知見し、本考案を完成するにいたった。【０００７】  前記知見に基づいてなされた本考案は、先端に掛け具を取り付けた、必要な長さのワイヤーを巻き付けたドラムの一側面にブレーキドラムを固着し、他側面にはワイヤー巻き戻しドラムを固着するとともに、ワイヤーを巻き付けたドラムの中心部に、ワイヤー引き出し速度を一定にする定速機を組み込み、これらが一体の状態で回転可能となるようにフレームに支持するとともに、このフレームには、前記ブレーキドラムに接触して制動作用を行なうブレーキレバーと、延び出したワイヤーを元のドラムに巻き取るための巻き戻し用レバー付巻き戻しギヤが取り付けられ、この状態のフレーム全体を、ワイヤー出入口、巻き戻しレバー、ブレーキ把手およびワイヤーを巻き付けたドラムの回転軸端部に対応する位置に開口部を設けた全体カバーに収納したものと、身体取り付け用固着バンドとが一体的に組み込まれている事を特徴とする高所からの緊急避難用具を要旨としている。
【考案の効果】
【０００８】  本考案に係る高所からの緊急避難用具は、その使用に際してワイヤー引き出し速度を一定にする定速機を設けたことにより、使用する人の体重に関係なく、ほぼ一定のワイヤー引き出しスピードか実現され、使用者を安全に降下させることが出来、さらにブレーキレバーの操作で、降下スピードを緩やかにして不安を無くすという効果も期待できる。図１に本考案緊急避難用具の外観を示す。
【考案を実施するための最良の形態】
【０００９】  図１において、フレーム１の中心部には、ワイヤー２を巻取るドラム３の回転軸４を支持し、ワイヤー巻取りドラム３の回転軸４の外周には、ワイヤー巻取りドラム３の回転を一定にする定速回転機構５が組み込まれる。
ワイヤー巻取りドラム３の一側面には、操作用の握り６’を備えたブレーキドラム６が取り付けられ、高所からの緊急避難用具の下降速度を減速するはたらきをさせる。また、ブレーキドラム６のない側面には、高所からの緊急避難用具を使用した後、ワイヤー巻取りドラム３から引き出されてしまったワイヤー２を再使用できるように、ワイヤー巻取りドラム３へ巻き込むための巻き戻し機構としてのワイヤー巻き戻しギヤ７および巻き戻しレバー８が取り付けられている。必要に応じて、釣具に組込まれているのと同様のワイヤーガイドを取り付けると、ワイヤーの引き出し・巻取りを的確に行なうことが出来る。【００１０】  ワイヤー２を巻き付けたワイヤー巻取りドラム３を組み込んだ高所からの緊急避難用具を、例えば図２に示すように、登山用のロッククライミングで使われている固着バンドなどのような形式の身体取り付け用固着バンド９に組み込み、これを使用者が身体に固定した後、図５に示すように、ワイヤー２先端の掛け具１０を、建物の例えば柱とかベランダのてすりにひっかけ、ドラム３からワイヤー２を繰りだしながら建物の壁面にそって下降していき、安全な場所まできたら使用済みの避難用具を身体から取り外す。図３は、別の形式の身体取り付け用固着バンドの俯観図であり、図４は図３の身体取り付け用固着バンドに組込んだ本考案避難具を使用者が装着した状態を示している。【００１１】  前記したような高所からの緊急避難用具を、避難を必要とする場所に所定数設備しておき、火災等が発生した場合、これを使用することによって危険箇所にいる人は、順次安全な場所へ避難することが出来る。【００１２】  本考案に係る高所からの緊急避難用具に組み込まれているワイヤー引き出し速度を一定にする定速機構５の構成は、図１におけるワイヤー巻取りドラム３のドラム内部に組み込まれた歯車の組合せによって、ワイヤー２が引き出されるされるスピードに対応して制動力が発生し、ワイヤー２の引き出し速度が一定に維持される作動をするものである。【００１３】  本考案で使用される定速機構５の構成は、図６の分解図に示すように、ワイヤー巻取りドラム３の中心部ケース１１の内周側にケースギヤ１２が取り付けられ、前記ケースギヤ１２にかみあう歯車１３−１，１３−２，１３−３を衛星状に支持する歯車支持体１４の回転中心部１４−１が、ワイヤ巻取りドラム３の中心部に通される六角のシャフト４−１に貫通され、前記衛星歯車１３−１，１３−２，１３−３と、歯車支持体１４の中央部でかみあう歯車１５に取り付けた、衛星歯車１６−１，１６−２支持体１７を貫入させ、この支持体１７の大きさは、これに支持される衛星歯車１６−１，１６−２が、ケースギヤ１２から離れているものとする。【００１４】  衛星歯車１６−１，１６−２支持体１７の回転中心部に取り付けた歯車１５は、歯車支持体１４中央で衛星歯車１３−１，１３−２，１３−３とかみあうことによりにより回転可能に嵌合されている。さらに、前記衛星歯車１６−１，１６−２の内側でかみあっている歯車１８には、スプリング１９によりシャフト６側に引っ張られている錘２０を周辺に一対設けた回転体２１が取り付けられている。【００１５】  歯車支持体１４は、支持体一端面から延びた軸部１４−１が、巻取りドラム３の中心部ケース１１の内周側固着された軸受けにより回転可能に支持され、軸部１４−１には六角のシャフト４−１が貫通されている。そして、歯車支持体１４の他の端面側から、衛星歯車１３−１，１３−２，１３−３とかみあうように、衛星歯車１６−１，１６−２支持体１７に取り付けた歯車１５が挿入され、支持体１７の他端面には、カバー１７−１（厚さ３ｍｍ）を介在させて回転体２１に取り付けた歯車１８が、衛星歯車１６−１，１６−２とかみあうように挿入されるとともに、他端面にはナット２１−２によりケースふた２１−１がシャフト４−１に固着されて定速機構が組み立てられる。【００１６】  定速機構内の各歯車は前述したように互いにかみあっているため、巻取りケース１１の回転は、歯数の比に応じて伝達先の歯車回転数が大きくなり、錘２０を周辺に一対設けた回転体２１は高速になるため、スプリング１９の弾性力に抗して錘２０が遠心力で外に広がり、巻取りケース１１のケースギヤ１２の無い部分の内周と接触摺動し、摩擦力により巻取りケースの回転速度を制動する作用をする。この制動作用によって、高所からの緊急避難用具の降下速度に比例して摩擦力が大きくなるため、用具下降速度がほぼ一定に維持されることになる。【００１７】  前記した定速機構における各歯車の歯数およびそのサイズの一例を示すと次のとおりである。
0003136343.tif 000003
【００１８】  また、回転体２１のサイズは直径６７ｍｍΦ、幅１９ｍｍであり、一対の錘２０の取り付け部は回転体２１の軸中心から５６ｍｍΦで、錘２０の重量はそれぞれ９ｇ、錘２０を回転体２１に引き付けるスプリング１９のサイズは、外径８ｍｍΦ、線径０．５ｍｍΦ、巻き数：９巻、錘２０の回転半径は３．３５ｃｍであり、回転体２１の回転数が６０ｒｐｍ以上になると、錘２０が巻取りケース１１と接触摺動しはじめる。
これらの、歯車、支持体あるいは回転体等を構成する材料としては、例えば歯車には、炭素繊維強化プラスチック、支持体にはＡｌ軽合金などを使用することが出来る。
本考案では、各機構を組み付けたフレーム１全体がカバー２４（図９）により覆われているため、避難器具使用者の衣類などの巻き込みが防止できる。【００１９】  また、ワイヤーの巻き戻し機構は、図７に示すように、ワイヤー巻取りドラム３に取り付けたチェーン２２と巻取り軸２３にもうけたスプロケット２４を組み合わせ、巻取り軸２３を回転させてワイヤー２を巻取りドラム３に巻取る。
本考案の緊急避難用具の具体的な大きさの一例を図８に示す。又、図９はフレームを覆うカバー２４の俯観図である。【００２０】  前記の具体例によるテスト結果を下記に示す。
0003136343.tif 000004
0003136343.tif 000005
【００２１】  以上、本考案緊急避難用具の使用態様として、前記避難用具を、避難する人が避難用具組込みバンドで身体に取り付けて避難する場合の説明をしたが、避難用具自体を建物に固定し、ハンモックなどの数ヵ所をひもで吊るようにしてワイヤー２先端の掛け具１０に引っ掛けると、病気で身体を動かせない人や、障害があって手足の不自由な人に対しても、このハンモックに乗せて介助者により高所からの避難を行なうことが可能となる。
使用階数が１５階より高くなると、ワイヤーの長さが長くなって、その結果緊急避難用具本体の重量が多くなり、背負って使用する場合に困難となるために、より高層階では、前記したような避難用具自体を建物に固定した状態で使用することが望ましい。
【産業上の利用可能性】
【００２２】  本考案は、停電時であっても動力源を必要とせず、自重変速機を使用しているので長年保管していても故障をすることがなく、身体取り付け用固着バンドに組み込まれているので、一度説明を聞けばその使用法を忘れることがないという、有用性を備えており、産業上大いに役立つものである。
【図面の簡単な説明】
【００２３】
【図１】本考案装置の正面図（ａ）と側面図（ｂ）である。
【図２】身体取り付け用固着バンドに組み付けられた本考案装置の外観図である。
【図３】本考案装置を組込む身体取り付け用固着バンドの別の構造説明図である。
【図４】本考案装置を図３の身体取り付け用固着バンドに組込んで、使用者が装着した状態の説明図である。
【図５】本考案装置の使用概要を示す説明図である。
【図６】本考案装置に使用される定速機構の構造説明図である。
【図７】本考案装置に組込まれたワイヤ巻き戻し機構の構造説明図である。
【図８】本考案装置の具体的寸法を示す説明図である。
【図９】本考案装置の機構部分全体を覆うカバーの俯観図である。
【符号の説明】
【００２４】  １        フレーム
２        ワイヤー
３        巻取りドラム
４        回転軸
５        定速機構
６        ブレーキドラム
７        ワイヤー巻き戻しギヤ
８        巻き戻しレバー
９        身体取り付け用安全バンド
１０        掛け具
１１        中心部ケース
１２        ケースギヤ
１３−１    衛星歯車
１３−２    衛星歯車
１３−３    衛星歯車
１４        衛星歯車支持体
１４−１    軸部
１５        内部歯車
１６−１    衛星歯車
１６−２    衛星歯車
１７        衛星歯車支持体
１７−１    カバー
１８        内部歯車
１９        スプリング
２０        錘
２１        回転体
２１−１    ケースふた
２１−２    ナット
２２        チェーン
２３        巻取り軸
２４        全体カバー
【図１】
0003136343.tif 000006
【図２】
0003136343.tif 000007
【図３】
0003136343.tif 000008
【図４】
0003136343.tif 000009
【図５】
0003136343.tif 000010
【図６】
0003136343.tif 000011
【図７】
0003136343.tif 000012
【図８】
0003136343.tif 000013
【図９】
0003136343.tif 000014